(57)【特許請求の範囲】
【請求項１】
視線誘導標の支柱部となる棒状間伐材の上端面に固定して取り付けられるベースプレート部と、
前記ベースプレート部から上方へ延設され、視線誘導標のヘッド部を保持するヘッド取着部と
からなる視線誘導標用金具であって、
前記ヘッド部の下部は下端開口筒状部からなり、
前記ヘッド取着部は、前記下端開口筒状部が上方から被せられる上端開口筒状部からなり、
前記ベースプレート部は、複数本の取付金具によって前記上端開口筒状部の内側から前記間伐材上端面に取り付けられる
ことを特徴とする視線誘導標用金具。
【請求項２】
視線誘導標の支柱部となる棒状間伐材の上端面に固定して取り付けられるベースプレート部と、
前記ベースプレート部から上方へ延設され、視線誘導標のヘッド部を保持するヘッド取着部と
からなる視線誘導標用金具であって、
前記ヘッド部の下部は下端開口筒状部からなり、
前記ヘッド取着部は、前記下端開口筒状部が上方から被せられる上端開口筒状部からなり、
前記ベースプレート部は、前記間伐材上端面に突き刺さるスパイク部を下面に有しており、また、前記ベースプレート部は、取付金具によって前記上端開口筒状部の内側から前記間伐材上端面に取り付けられる
ことを特徴とする視線誘導標用金具。
【請求項３】
視線誘導標の支柱部となる棒状間伐材の上端面に固定して取り付けられるベースプレート部と、
前記ベースプレート部から上方へ延設され、視線誘導標のヘッド部を保持するヘッド取着部と
からなる視線誘導標用金具であって、
前記ヘッド部の下部は下端開口筒状部からなり、
前記ヘッド取着部は、前記下端開口筒状部が上方から被せられる上端開口筒状部からなり、
前記ベースプレート部は、前記間伐材上端面に突き刺さるスパイク部を下面に有しており、また、前記ベースプレート部は、複数本の取付金具によって前記上端開口筒状部の内側から前記間伐材上端面に取り付けられる
ことを特徴とする視線誘導標用金具。
【発明の詳細な説明】
【０００１】
【発明の属する技術分野】
本発明は、視線誘導標用金具、詳しくは、視線誘導標の支柱部に棒状木材を使用する視線誘導標において、視線誘導標のヘッド部を木材に取着するために用いられる金具に関する。
【０００２】
【従来の技術】
一般に、道路のガードレールなどに設置され自動車の運転者の視線を誘導する視線誘導標は、ガードレールなどに固定される金属製支柱部、及び、この支柱部の上端に固定される反射体などからなるヘッド部によって構成される。
【０００３】
【発明が解決しようとする課題】
ところで、山林の手入れ法の一種に、植林した木のなかから良質な木を選び、この良質な木を育成してゆくためにその周囲の木を切って間引く間伐法が知られているが、この間伐によって切り出された木を有効利用する途は限られ、産業廃棄物として処分される場合が多かった。
【０００４】
本発明は、間伐材を産業廃棄物とはせず、道路の付帯設備としてきわめて多数使用されている視線誘導標の支柱部として用いることによって間伐材の有効利用を図る趣旨の下に、本来的に自然物であるがゆえに直径がまちまちである間伐材に対して確実に視線誘導標のヘッド部を取着することができる安価な金具を提供することを目的としてなされたものである。
【０００６】
【課題を解決するための手段】
本発明の視線誘導標用金具は、視線誘導標の支柱部となる棒状間伐材の上端面に固定して取り付けられるベースプレート部と、前記ベースプレート部から上方へ延設され、視線誘導標のヘッド部を保持するヘッド取着部とからなる視線誘導標用金具であって、前記ヘッド部の下部は下端開口筒状部からなり、前記ヘッド取着部は、前記下端開口筒状部が上方から被せられる上端開口筒状部からなり、前記ベースプレート部は、複数本の取付金具によって前記上端開口筒状部の内側から前記間伐材上端面に取り付けられることを特徴とする。
【０００７】
また、本発明の視線誘導標用金具は、視線誘導標の支柱部となる棒状間伐材の上端面に固定して取り付けられるベースプレート部と、前記ベースプレート部から上方へ延設され、視線誘導標のヘッド部を保持するヘッド取着部とからなる視線誘導標用金具であって、前記ヘッド部の下部は下端開口筒状部からなり、前記ヘッド取着部は、前記下端開口筒状部が上方から被せられる上端開口筒状部からなり、前記ベースプレート部は、前記間伐材上端面に突き刺さるスパイク部を下面に有しており、また、前記ベースプレート部は、取付金具によって前記上端開口筒状部の内側から前記間伐材上端面に取り付けられることを特徴とする。
【０００８】
また、本発明の視線誘導標用金具は、視線誘導標の支柱部となる棒状間伐材の上端面に固定して取り付けられるベースプレート部と、前記ベースプレート部から上方へ延設され、視線誘導標のヘッド部を保持するヘッド取着部とからなる視線誘導標用金具であって、前記ヘッド部の下部は下端開口筒状部からなり、前記ヘッド取着部は、前記下端開口筒状部が上方から被せられる上端開口筒状部からなり、前記ベースプレート部は、前記間伐材上端面に突き刺さるスパイク部を下面に有しており、また、前記ベースプレート部は、複数本の取付金具によって前記上端開口筒状部の内側から前記間伐材上端面に取り付けられることを特徴とする。
【００１０】
【発明の実施の形態】
図１〜図３は第１実施形態、図４〜図５は第２実施形態を示し、図１は第１実施形態の金具を用いた視線誘導標の正面図、図２は同視線誘導標の要部断面図、図３は同要部の分解斜視図、図４は第２実施形態の金具を用いた視線誘導標の要部断面図、図５は同要部の分解斜視図である。
【００１１】
図１〜図３において、視線誘導標１は、ガードレールや地面などに固定される支柱部２を備える。支柱部２は、自然物ゆえに本来的に直径がまちまちな棒状間伐材によって構成されている。
【００１２】
棒状間伐材２の上端面２ａには、第１実施形態の金具３が固定されている。金具３は、円板状のベースプレート部３１を備え、このベースプレート部３１の複数の貫通孔３１ａの各々に上方から取付ねじ等取付金具４を通し間伐材上端面２ａにねじ込む等することによって間伐材２に固定される。
【００１３】
ベースプレート部３１の上面には、ヘッド取着部３２が上方へ延設されている。ヘッド取着部３２は、上端が開口した上端開口筒状部によって構成されている。上端開口筒状部３２には、視線誘導標１のヘッド部５が固定されている。ヘッド部５は、反射体部５１の下端に延設されている下端開口筒状部５２を上端開口筒状部３２に上方から被せ、下端開口筒状部５２の複数のねじ孔５２ａの各々にねじ６をねじ込み上端開口筒状部３２の外周面を押えつけることによって上端開口筒状部３２に固定保持される。
【００１４】
金具３は、ベースプレート部３１にヘッド取着部３２を溶接して一体構造のものとしてもよいが、鋳造により一体成形することが製造コストの点などから好ましい。なお、硬質樹脂によって一体成形することも可能である。
【００１５】
ベースプレート部３１に設けられている複数の貫通孔３１ａは、上端開口筒状部３２の外側つまり外部から見える位置に設けるようにしてもよいが、図２及び図３に示すように上端開口筒状部３２の内側に設ける方が外観上及び耐侯性の点から好ましい。
【００１６】
また、これらの貫通孔３１ａは、同一径の円周上に等間隔で設けることが望ましく、また、その個数は、金具３を間伐材２に確実にバランスよく固定させる上で３個以上が望ましい。
【００１７】
図４及び図５に示す第２実施形態の金具３は、ベースプレート部３１の中心に貫通孔３１ａを設けるとともにベースプレート部３１の下面周縁部にスパイク部３１ｂを突設し、スパイク部３１ｂを間伐材２の上端面２ａに突き刺すとともに貫通孔３１ａに取付金具４を通して間伐材２の上端面２ａにねじ込むことによって間伐材２に固定されるよう構成されたものである。つまり、この金具３は、主として取付金具４によって金具３を間伐材２に取り付けるようにするとともに、スパイク部３１ｂが金具３の回り止めを発揮するように構成されたものである。その他の構成は、第１実施形態の金具３と同様である。
【００１８】
なお、図示は省略したが、他の実施形態の金具３として、第１実施形態の金具３に第２実施形態の金具３のスパイク部３１ｂを設ける構成としてもよい。
【００１９】
以上説明したように、本実施形態の金具３は、きわめて簡単な構成で製造も簡単であるため安価に製造可能であるとともに、直径の異なる種々の間伐材２に対して適用できるため、今まで産業廃棄物とされていた間伐材２の有効利用を図ることが可能になる。なお、本発明は、支柱部に間伐材を用いる場合に限定されるものではなく、支柱部に通常の木材を使用する場合にも適用できることは言うまでもない。
【００２０】
【発明の効果】
本発明の金具によると、本来的に自然物であるがゆえに直径がまちまちである間伐材を含む木材に対して確実に視線誘導標のヘッド部を取着することができ、しかも安価に提供できるため、間伐材を産業廃棄物とはせず、道路の付帯設備としてきわめて多数使用されている視線誘導標の支柱部として用いることによって間伐材の有効利用を図ることが可能になる。
【図面の簡単な説明】
【図１】本発明の第１実施形態の金具を用いた視線誘導標の正面図である。
【図２】同視線誘導標の要部断面図である。
【図３】同要部の分解斜視図である。
【図４】第２実施形態の金具を用いた視線誘導標の要部断面図である。
【図５】同要部の分解斜視図である。
【符号の説明】
１    視線誘導標
２    支柱部（棒状間伐材、棒状木材）
２ａ    上端面
３    金具
３１    ベースプレート部
３１ａ    貫通孔
３１ｂ    スパイク部
３２    ヘッド取着部（上端開口筒状部）
４    取付金具
５    ヘッド部
５１    反射体部
５２    下端開口筒状部
【図１】
0003811847.tif 000002
【図２】
0003811847.tif 000003
【図３】
0003811847.tif 000004
【図４】
0003811847.tif 000005
【図５】
0003811847.tif 000006